(57)【特許請求の範囲】
【請求項１】
対向する平側パネルと，該対向する平側パネルの上端にそれぞれヒンジ連結することによって各平側パネルの外側に回動折畳み自在とし且つその自由端相互を直接又は間接に突合せることによって切妻屋根を形成する分離屋根パネルと，上記対向する平側パネルの両側端にそれぞれヒンジ連結するとともに妻側幅方向中央位置で相互にヒンジ連結することによって対向する平側パネルの内側に谷折りの折畳みを自在とし且つ上端を上記切妻屋根の形状に合わせてそれぞれ三角形状に突出した妻側に対向する中央連結妻側パネルとを備えてなる折畳み構造物であって，上記対向する平側パネルに上端にそれぞれヒンジ連結するとともに妻側幅方向中央位置で相互にヒンジ連結することによって対向する平側パネルの内側に谷折りの折畳みを自在とした，上記対向する平側パネルの長さから妻側一方の幅相当分を除いた長さ又はこれ以下の長さを有して平側パネルの長手方向中央位置に配置した中央連結水平棚パネルを備えてなることを特徴とする屋根裏物置スペース付きの折畳み構造物。
【請求項２】
上記中央連結水平棚パネルに代えて，対向する平側パネルの上端にそれぞれヒンジ連結することによって各平側パネルの内側に回動折畳み自在とし且つその自由端相互を直接又は間接に突合せ連結自在とした，上記対向する平側パネルの長さから妻側一方の幅相当分を除いた長さ又はこれ以下の長さを有して平側パネルの長手方向中央位置に配置した分離水平棚パネルを備えてなることを特徴とする請求項１に記載の屋根裏物置スペース付きの折畳み構造物。
【発明の詳細な説明】
【０００１】
本発明は，例えば車庫，架設ハウス，臨時救護所等の各種用途に使用するに好適な屋根裏物置スペース付きの折畳み構造物に関する。
【０００２】
【従来の技術及び発明が解決しようとする課題】
この種折畳み構造物として，本発明者は，対向する平側パネルを基準として妻側パネル及び屋根パネルをそれぞれ中折れ折畳み自在としたものを提案しているが，例えばこれを車庫，架設ハウス，臨時救護所等の各種用途に使用する場合，それぞれの用途に応じた専用のスペースを確保することができるが，関連物品の収納スペースを確保することが一般に困難であり，敢えてこれを確保しようとすると折畳み構造物の平面面積を大きくするか，上記専用のスペースを削り，これを縮小する以外にない。
【０００３】
本発明はかかる事情に鑑みてなされたもので，その解決課題とするところは，輸送，保管を省スペースでなし得るように折畳み構造物としてのコンパクトな折畳み自在性を損うことなく，使用時に屋根裏物置スペースを形成可能な屋根裏物置スペース付きの折畳み構造物を提供するにある。
【０００４】
【課題を解決するための手段】
上記課題に添つて本発明は，折畳み構造物を切妻屋根の屋根形状のものとして構成するとともにこの切妻屋根による上方空間を折畳み構造物に折畳み自在に設置した棚パネルによって仕切り，これを屋根裏の物置スペースとするようにする一方，該棚パネルの折畳み自在の設置を，折畳み構造物のコンパクトな折畳み自在性と両立するように，該折畳み構造物の折畳み形態によって生じる平側パネル間の空隙空間において行い，これに折畳み収納し得るように構成したものであって，即ち請求項１に記載の発明を，対向する平側パネルと，該対向する平側パネルの上端にそれぞれヒンジ連結することによって各平側パネルの外側に回動折畳み自在とし且つその自由端相互を直接又は間接に突合せることによって切妻屋根を形成する分離屋根パネルと，上記対向する平側パネルの両側端にそれぞれヒンジ連結するとともに妻側幅方向中央位置で相互にヒンジ連結することによって対向する平側パネルの内側に谷折りの折畳みを自在とし且つ上端を上記切妻屋根の形状に合わせてそれぞれ三角形状に突出した妻側に対向する中央連結妻側パネルとを備えてなる折畳み構造物であって，上記対向する平側パネルに上端にそれぞれヒンジ連結するとともに妻側幅方向中央位置で相互にヒンジ連結することによって対向する平側パネルの内側に谷折りの折畳みを自在とした，上記対向する平側パネルの長さから妻側一方の幅相当分を除いた長さ又はこれ以下の長さを有して平側パネルの長手方向中央位置に配置した中央連結水平棚パネルを備えてなることを特徴とする屋根裏物置スペース付きの折畳み構造物とし，請求項２に記載の発明を，上記中央連結水平棚パネルに代えて，対向する平側パネルの上端にそれぞれヒンジ連結することによって各平側パネルの内側に回動折畳み自在とし且つその自由端相互を直接又は間接に突合せ連結自在とした，上記対向する平側パネルの長さから妻側一方の幅相当分を除いた長さ又はこれ以下の長さを有して平側パネルの長手方向中央位置に配置した分離水平棚パネルを備えてなることを特徴とする請求項１に記載の屋根裏物置スペース付きの折畳み構造物とし，これらをそれぞれ発明の要旨として，上記課題解決の手段としたものである。
【０００５】
【発明の実施の形態】
以下図面の例に従って本発明を更に具体的に説明すれば，Ａは，例えば車庫として使用するように構成した屋根裏物置スペース付きの折畳み構造物であって，該構造物Ａは，対向する平側パネル４と，該対向する平側パネル４の上端にそれぞれヒンジ８連結することによって各平側パネル４の外側に回動折畳み自在とし且つその自由端相互を直接又は間接に突合せることによって切妻屋根を形成する分離屋根パネル５と，上記対向する平側パネル４の両側端にそれぞれヒンジ８連結するとともに妻側幅方向中央位置で相互にヒンジ８連結することによって対向する平側パネル４の内側に谷折りの折畳みを自在とし且つ上端を上記切妻屋根の形状に合わせてそれぞれ三角形状に突出した妻側に対向する中央連結妻側パネル６とを備えてなるものとしてある。
【０００６】
即ち本例の構造物Ａは，上記対向する平面側の平側パネル４と，該平側パネル４を基準としてヒンジ８によって折畳み自在とするように配置した屋根面の屋根パネル５及び妻側面の妻側パネル６を用いて折畳み自在とし，例えば一方の妻側パネル６に，車両出入用にして，可及的に妻側の幅を全開可能とするような開口部材３，例えば横引きシャッターを備えた開口を設けることによって，これを上記車庫として使用可能としてあり，従って本例にあって該構造物Ａは，例えば人の使用に際して一般に必要とされる床面を備えないものとして構成してある。
【０００７】
上記平側パネル４，屋根パネル５及び妻側パネル６の各パネルは，それぞれ例えば金属フレームに外装材乃至内装材を張設したものを用い，必要に応じてこれを複数連結使用するものとしてあり，一方上記ヒンジ８は，ヒンジ金物又はアルミ全面ヒンジ等を使用するものとしてある。
【０００８】
上記平側パネル４は，一対の矩形パネルを対向して配置して，折畳み構造物Ａにおいてその折畳みの基準をなすパネルとしてあり，屋根パネル６は該対向する平側パネル４上にあって，その上記自由端の突合せによって，例えば１０度程度の比較的低い勾配の切妻屋根を形成するとともに平側及び妻側にそれぞれ軒先を形成するように，平側パネル４よりやや長い長さにして妻側幅の１／２幅より幾分幅広の奥行を有する一対の矩形パネルによる分離一対のものとしてあり，それぞれ上記対向する平側パネル４の上端部にその軒先側先端を，例えば平側パネル４から外側に迫出して，回動を軒先側先端において行なうようにした迫り出しのヒンジを用い，そのヒンジ８連結を行なってあり，これによって，分離形成した分離屋根パネル６をそれぞれ上記各平側パネル４の外側に重合吊り下げ状に回動折畳みするようにし，またこれらを上方に起立回動して，対向する平側パネル４間中央位置の上方でその自由端相互を，本例において直接に突合せることによって，上記切妻屋根を形成するようにしてある。
【０００９】
一方妻側パネル５は，妻側一方を上記開口部材３を後付け設置する開口を形成し，上端を上記切妻屋根の形状に合わせてそれぞれ三角形状に突出させた一対の異形パネルを用い，これらをそれぞれ妻側幅方向中央位置の上記上端三角形状における頂点位置でヒンジ８連結した各中央連結のものとしてあり，それぞれ上記対向する平側パネル４の両側端部にその上記一端側端部をヒンジ８連結してあり，これによって各妻側においてそれぞれ平側パネル４の内側に重合状谷折りの折畳みを行なうようにしてある。
【００１０】
このとき折畳み構造物Ａは，上記対向する平側パネル４に上端にそれぞれヒンジ８連結するとともに妻側幅方向中央位置で相互にヒンジ８連結することによって対向する平側パネル４の内側に谷折りの折畳みを自在とした，上記対向する平側パネル４の長さから妻側の幅相当分を除いた長さ又はこれ以下の長さを有して平側パネル４の長手方向中央位置に配置した中央連結水平棚パネル７を備えたものとしてあり，該分離水平棚パネル７によって上下を仕切り，屋根裏に物置スペースを形成するようにしてある。
【００１１】
即ち本例の中央連結水平棚パネル７は，一対の矩形パネルを用い，妻側パネル６におけると同様に妻側幅方向中央位置においてヒンジ８連結した中央連結の棚をなすものとし，それぞれ上記対向する平側パネル４の上端部にその一端をヒンジ８連結してあり，これによって平側パネル４の内側に重合状谷折りの折畳みを行なう一方，ヒンジ８連結部分にヒンジ８の回動を防止する回動防止部材９，本例にあってはヒンジ８連結部分を下支えする回動防止プレートを配置し，その水平を維持し且つ載置物品の荷重を支持可能とするものとしてあり，このとき該中央連結水平棚パネル７は，その幅を妻側幅に一致するようにするも，その長さを対向する平側パネル４間に，上記妻側パネル６の谷折りの折畳み状態において，これらと衝接することなく，これらの間に形成される平側パネル４間内側の空隙空間に受入収納可能とするように，その長さを上記平側パネル４の長さから妻側の幅相当分を除いた，本例においてこれと略同じ長さとして，その配置を上記妻側パネル６の折畳み位置を除くように，平側パネル４の長手方向中央位置に行なってなるものとしてある。
【００１２】
図中１は平側パネル４に設置した窓，２は人の出入用ドア，１０は構造物Ａにおける平側パネル４及び妻側パネル６の接地部分の固定金具，１１は屋根パネル５の棟部を覆う防水用の棟カバーである。
【００１３】
以上のように構成した本例の折畳み構造物Ａは，例えば設置現場に搬入し，例えばクレーンの吊り状態で平側パネル４を離隔方向に引くことによって妻側パネル６を伸張して設置し，車庫として使用するようにし，またこれと逆の手順によって上記構造物Ａを折畳み，分離状態としてその分離搬出や分離保管を行なうようにするものとしてある。
【００１４】
このとき上記中央連結水平棚パネル７は，上記折畳み構造物Ａの設置とともに伸張するから，上記回動防止部材９を設置してその中央位置のヒンジ８の回動を防止するようにすることによって，上記切妻屋根による屋根裏の高さを活用した屋根裏物置スペースとして利用でき，例えば車両に付属する交換タイヤ，洗浄用品，掃除機等適宜の物品を載置収納して使用することができる。
【００１５】
図示した例は以上のとおりとしたが，中央位置でヒンジ連結することによって構成した上記中央連結水平棚パネルに代えて，対向する平側パネルの上端にそれぞれヒンジ連結することによって各平側パネルの内側に回動折畳み自在とし且つその自由端相互を直接又は間接に突合せ連結自在とした分離水平棚パネルを備えた，上記対向する平側パネルの長さから妻側一方の幅相当分を除いた長さ又はこれ以下の長さを有して平側パネルの長手方向中央位置に配置したものとすること，このとき上記自由端相互の連結を，これらを直接に固定する上記と同様なプレート，かんぬき状金具を用い，また間接に固定する，例えばＬ字状，Ｓ字状等の自由端連結金具を用いて，その水平の固定と荷重支持を行なうようにすること，上記中央連結水平棚パネルを使用するとき，中央位置にヒンジ連結枠を介設して，これを，例えば屋根パネル間に介設した棟部材に対して吊りボルト等の吊り支持部材を介して吊り支持するようにすること，上記分離水平棚パネルを使用し，これを上記自由端連結金具によって連結するとき，同様に吊り支持部材を介して棟部材に吊り支持するようにすること，折畳み構造物の下端に同様に床パネルを折畳み自在に設置して，簡易ハウス等人の使用に供する各種用途のものとして折畳み構造物を使用すること等を含めて，本発明の実施に当って，折畳み構造物，平側パネル，妻側パネル，屋根パネル，中央連結水平パネル又は分離水平棚パネル等の各具体的材質，形状，構造，寸法，用途，これらの関係，これらに対する付加等は上記発明の要旨に反しない限り，様々の形態のものとすることができる。
【００１６】
【発明の効果】
本発明は以上のとおりに構成したから，請求項１及び２に記載の発明は，それぞれ折畳み構造物を切妻屋根の屋根形状のものとして構成するとともにこの切妻屋根による上方空間を折畳み構造物に折畳み自在に設置した棚パネルによって仕切り，これを屋根裏の物置スペースとするようにする一方，該棚パネルの折畳み自在の設置を，折畳み構造物のコンパクトな折畳み自在性と両立するように，該折畳み構造物の折畳み形態によって生じる平側パネル間の空隙空間において行い，これに折畳み収納し得るように構成して，輸送，保管を省スペースでなし得るように折畳み構造物としてのコンパクトな折畳み自在性を損うことなく，使用時に屋根裏物置スペースを形成可能な屋根裏物置スペース付きの折畳み構造物を提供することができる。
【図面の簡単な説明】
【図１】折畳み構造物の斜視図である。
【図２】折畳み構造物の折畳み状態を示す斜視図である。
【図３】折畳み構造物の縦断面図である。
【図４】折畳み構造物の横断面図である。
【図５】折畳み構造物の折畳み状態を示す横断面図である。
【符号の説明】
Ａ  折畳み構造物
４  平側パネル
５  屋根パネル
６  妻側パネル
７  水平棚パネル
８  ヒンジ
【図１】
0003754240.tif 000002
【図２】
0003754240.tif 000003
【図３】
0003754240.tif 000004
【図４】
0003754240.tif 000005
【図５】
0003754240.tif 000006